(57)【特許請求の範囲】
【請求項１】
閉じ合わせ式可撓性被覆体収納構造体であって、
辺縁に閉じ合わせ部材を設けた前カバーシートと、
辺縁に前記閉じ合わせ部材に相対する閉じ合わせ相対部材を設けた後ろカバーシートと、
前記前カバーシートと後ろカバーシートの間に設けられ、両者を連結する連結部と、
前記前カバーシートに設けた第１接合辺と、
第２接合辺を含む可撓性被覆体とを含み、前記第１接合辺と前記第２接合辺を対応させて相互に接合し、前記前カバーシートと前記可撓性被覆体が固定され、
前記前カバーシートと前記後ろカバーシートの間に形成された収納空間に折り畳んだ後の前記可撓性被覆体を収納し、かつ前記閉じ合わせ部材と前記閉じ合わせ相対部材によって前記前カバーシートと前記後ろカバーシートを閉じ合わせることができ、前記第２接合辺と前記第１接合辺が局部的に接合され、且つ未接合箇所に収納口が形成され、前記可撓性被覆体を展開した状態のとき、前記収納口から前記後ろカバーシートを前記前カバーシートと前記可撓性被覆体の間の収納部内に収納可能であり、折り畳んだ後の前記可撓性被覆体を前記収納空間に収納するときは、前記後ろカバーシートを前記収納口から取り出して、前記後ろカバーシートと前記前カバーシートを固定することを特徴とする、閉じ合わせ式可撓性被覆体収納構造体。
【請求項２】
前記後ろカバーシートにさらに固定部材を設け、前記可撓性被覆体の相対する一側に固定相対部材を設け、前記後ろカバーシートが前記可撓性被覆体の表面で垂下して揺動することがないように前記固定部材と前記固定相対部材により前記後ろカバーシートが前記可撓性被覆体の表面に固定され、前記固定部材と前記固定相対部材がファスナー、面ファスナー、スナップボタン、マグネットボタンのいずれかを含むことを特徴とする、請求項１に記載の閉じ合わせ式可撓性被覆体収納構造体。
【請求項３】
前記前カバーシートと前記後ろカバーシートのいずれか一側に小収容部が結合されたことを特徴とする、請求項１に記載の閉じ合わせ式可撓性被覆体収納構造体。
【請求項４】
閉じ合わせ式可撓性被覆体収納構造体であって、
辺縁に閉じ合わせ部材を設けた前カバーシートと、
辺縁に前記閉じ合わせ部材に相対する閉じ合わせ相対部材を設けた後ろカバーシートと、
前記前カバーシートと後ろカバーシートの間に設けられ、両者を連結する連結部と、
前記前カバーシートに設けた第１接合辺と、
第２接合辺を含む可撓性被覆体とを含み、前記第１接合辺と前記第２接合辺を対応させて相互に接合し、前記前カバーシートと前記可撓性被覆体が固定され、
前記前カバーシートと前記後ろカバーシートの間に形成された収納空間に折り畳んだ後の前記可撓性被覆体を収納し、かつ前記閉じ合わせ部材と前記閉じ合わせ相対部材によって前記前カバーシートと前記後ろカバーシートを閉じ合わせることができ、
前記前カバーシートと前記閉じ合わせ部材の間にさらに側面周壁部を設け、前記可撓性被覆体がさらに前記側面周壁部に相対する接合部を含み、前記接合部が環状体を成し、その円の直径が前記側面周壁部の円の直径より小さく、前記接合部の先端の前記第２接合辺が前記側面周壁部の先端の第１接合辺に当接されて相互に連接され、これにより前記側面周壁部が前記接合部の外囲を包覆し、前記第２接合辺が前記第１接合辺の上縁に当接されて相互に連接され、前記接合部の環状体を成している上部周壁が前記側面周壁部の上部周壁に当接され、前記接合部の下部周壁と前記側面周壁部の間の当接されていない空間に第１収納部が形成され、前記可撓性被覆体を展開した状態のとき、折り畳んだ前記後ろカバーシートを前記前カバーシートと前記可撓性被覆体の間の収納部である前記第１収納部内に収納可能であり、前記接合部の内部空間と前カバーシートを結合した時に第２収納部が形成され、且つ前記第２収納部が前記可撓性被覆体と相互に連通された連通口を含み、折り畳んだ後の前記可撓性被覆体を前記収納空間に収納するときは、前記後ろカバーシートと前記前カバーシートを固定し、前記可撓性被覆体を前記連通口から前記前カバーシートと前記後ろカバーシートの間に形成された収納空間である前記第２収納部内に収納できることを特徴とする閉じ合わせ式可撓性被覆体収納構造体。
【請求項５】
前記可撓性被覆体がバッグであることを特徴とする、請求項１又は４に記載の閉じ合わせ式可撓性被覆体収納構造体。
【請求項６】
前記可撓性被覆体が衣類本体であり、
前記前カバーシートまたは前記後ろカバーシートの少なくともいずれか一側に小収容部が結合され、
前記衣類本体が第２接合辺を含み、前記第１接合辺と相対する前記第２接合辺が相互に接合されて前記前カバーシートと前記衣類本体が固定され、
前記前カバーシートと前記後ろカバーシートの間に形成された収納空間に折り畳んだ後の前記衣類本体を収納し、さらに前記閉じ合わせ部材と前記閉じ合わせ相対部材により前記前カバーシートと前記後ろカバーシートを閉じ合わせることができることを特徴とする、請求項１又は２に記載の閉じ合わせ式可撓性被覆体収納構造体。
【請求項７】
前記衣類本体に前カバーシート、後ろカバーシート、連結部を含むバッグを組み合わせ、前記衣類本体がさらに内ストラップを含み、前記内ストラップが前記衣類本体に連接され、かつ前記前カバーシートと接合され、使用者が衣類本体を着用したときに該バッグの重量を支持できることを特徴とする、請求項６に記載の閉じ合わせ式可撓性被覆体収納構造体。
【請求項８】
前記衣類本体に前カバーシート、後ろカバーシート、連結部を含むバッグを組み合わせ、前記後ろカバーシートに外ストラップを設け、前記外ストラップが着脱式または固定結合式で該バッグと連結されたことを特徴とする、請求項６に記載の閉じ合わせ式可撓性被覆体収納構造体。
【請求項９】
前記衣類本体に前カバーシート、後ろカバーシート、連結部を含むバッグを組み合わせ、前記前カバーシートと前記後ろカバーシートの間に該バッグを被覆可能なカバー体を設置したことを特徴とする、請求項６に記載の閉じ合わせ式可撓性被覆体収納構造体。
【発明の詳細な説明】
【技術分野】
【０００１】
本発明は閉じ合わせ式可撓性被覆体収納構造体に関し、特に、閉じ合わせ方式を利用してバッグ類または衣類等の可撓性被覆体を迅速に収納かつ取り出して使用できる多機能構造を使用者に提供する、閉じ合わせ式可撓性被覆体収納構造体に関する。
【背景技術】
【０００２】
現代的な高度に発展した商工業社会では、多くの人にとっていかにより簡便で軽い方法で各種携帯物品を持ち運ぶかというニーズが高まっており、例えば、ビニル袋の使用を減少するという環境保護目的のため、買い物時にはエコバッグを持参したり、また気温の変化や雨に備えて防寒や雨避け目的で薄い上着やレインコートなど各種衣類を携帯したりする。しかしながら、現在市販されている使用者が折り畳んで収納する設計の関連構造物は、エコバッグ、薄い上着、レインコート、各種衣類などどの応用においても簡便、迅速に収納し、かつ取り出して使用することができず、また製品構造に制限されて単一の収納機能しかなく、同時に物品を収納する複合的機能や面白みのある外観の変化を施した設計はない。
【０００３】
現在市販されているエコバッグまたは携帯用の薄い上着あるいはレインコートを例とすると、ほとんどが巻き取り収納方式を採用している。図１に常用されるエコバッグを展開した状態の外観図を示す。主にバッグ本体３、ハンドル３１、フラップ３００、オス留め具３０４、メス留め具３０５を含み、そのうち前記フラップ３００はさらに固定端３０２と開放端３０３を含む。フラップ３００は固定端３０２がバッグ本体３の外側に固定されており、オス留め具３０４が開放端３０３の適切な位置に設置され、メス留め具３０５が適切な距離でオス留め具３０４の上方の対応する位置に設置される。図２に常用されるエコバッグを巻き取り収納した状態の外観図を示す。収納時はまずバッグ本体３をフラップ３００とほぼ等しい幅の大きさに折り畳み、ハンドル３１も一緒にフラップ３００開放端３０３の下方に巻き取り、バッグ本体３をフラップ３００の大きさの体積に巻き取った後、開放端３０３に設けられたオス留め具３０４とメス留め具３０５を留めて固定し、バッグ本体３を巻き取り後フラップ３００の下方に固定することができる。
【０００４】
前述のエコバッグのほか、現在市販されている携帯式の薄い上着やレインコート（図示しない）の収納構造もほとんどが類似の巻き取り方式を採用しており、その構造は単一の機能しかなく、巻き取り後に体積を減少できるだけで、その他の使用機能は提供されておらず、使用者に便利で複合的な多機能性を提供するという目的を達することはできず、理想的ではない。
【０００５】
出願人はこれに鑑み、関連分野における長年の経験に基づいて研究と実験を重ね、改良を生み出したものであり、収納構造に多用途性と多機能性を実現するという目的を達成し、同様の構造をバッグ類や衣類以外の各種可撓性被覆体製品にも応用できるようにした。
【発明の概要】
【発明が解決しようとする課題】
【０００６】
本発明の第１の目的は、閉じ合わせ方式で使用者がバッグ類または衣類等の可撓性被覆体を迅速に収納かつ取り出して使用できる構造を提供し、展開状態下で同時に比較的小さい容積の小収容部と比較的大きい容積の収納空間を使用できる可撓性被覆体の複合機能を提供する、閉じ合わせ式可撓性被覆体収納構造体を提供することにある。
【０００７】
本発明の第２の目的は、前カバーシートの外側、後ろカバーシートの内側または外側のいずれかにさらに小収容部を設け、それにより可撓性被覆体を収納する以外の付加的な物品収容機能を備えた、閉じ合わせ式可撓性被覆体収納構造体を提供することにある。前記小収容部を備えた収納構造体はその側面周壁部にさらにループ及びストラップを設け、使用者が必要に応じて背負う機能を備えたバッグとして使用することができる。
【０００８】
本発明の第３の目的は、第２接合辺と前記第１接合辺の局部を接合する方式で未接合箇所に収納口を形成し、展開した可撓性被覆体を取り出して使用するときは、前記収納口から開いた後の後ろカバーシートを前カバーシートと可撓性被覆体の間の収納部内に配置することができる、閉じ合わせ式可撓性被覆体収納構造体を提供することにある。
【０００９】
本発明の第４の目的は、前カバーシートと閉じ合わせ部材の間に側面周壁部を設け、且つ前記可撓性被覆体に相対する側面周壁部と連接される接合部を設け、前記接合部は概ね環状体であり、その円の直径は前記側面周壁部の円の直径よりやや小さく、且つその内部に収納空間が形成され、前記側面周壁部は前記接合部を包覆してその外囲に重ねられ、接合部の環状体を成している上部が前記側面周壁部の上部に当接され、前記接合部の下部と前記側面周壁部の間の当接されていない空間に第１収納部が形成され、ここから折り畳んだ後の後ろカバーシートを収納することができ、さらに前記接合部の環状体を成した内部収納空間と前カバーシートを結合させた後第２収納部が形成され、且つ前記第２収納部が可撓性被覆体と相互に連通された連通口を備え、これにより折り畳んだ後の可撓性被覆体を前記連通口から第２収納部内に収納することができる、閉じ合わせ式可撓性被覆体収納構造体を提供することにある。
【００１０】
本発明の第５の目的は、可撓性被覆体収納構造体をバッグの構造に応用し、前記前カバーシートと後ろカバーシートを連接する連結部に折り返しを形成し、且つ上から下に向かって可撓性被覆体の表シートの上縁に掛止させ、前記可撓性被覆体を折り畳んだ後前カバーシートと後ろカバーシートの間に形成された収納空間内に収納することができ、前記連結部が可撓性被覆体上縁のハンドル両端部の間に掛止されるため、使用者がハンドル両端部を上に持ち上げる力で前記収納構造体及び小収容部の重量を支持することができ、可撓性被覆体の上縁が小収容部の重さで下垂し、変形することを回避すると共に、前記可撓性被覆体の表シートまたは裏シートの上縁にさらに下凹陥部を設け、下凹陥部の下方への凹みの大きさを連結部の幅に合わせ、これにより両者を接合した後、比較的平坦に保って美観と安定性を維持できる、閉じ合わせ式可撓性被覆体収納構造体を提供することにある。
【００１１】
本発明の第６の目的は、可撓性被覆体収納構造体をバッグの構造に応用し、延伸部の延伸機能で小収容部を延伸させて可撓性被覆体内の底部に配置し、そのうち、前記延伸部の一端が第２連接辺に連接され、他端が第１連接辺に連接されるため、小収容部の内部に物品を入れたために重くなりすぎたとき、前記延伸部から小収容部を可撓性被覆体内の底部に延伸して配置することができ、開口に連接された小収容部が重すぎて開口が下垂し、変形を生じるということがない、閉じ合わせ式可撓性被覆体収納構造体を提供することにある。
【００１２】
本発明の第７の目的は、可撓性被覆体収納構造体をバッグの構造に応用し、可撓性被覆体とハンドルの間に設けた二股部で、全体の寸法が比較的小さい前カバーシート、後ろカバーシートと小収容部を連結部、第１連接辺、第２連接辺、延伸部により可撓性被覆体の表シートの上縁と連接し、使用者がハンドルと二股部を一緒に持ち上げて手に提げる力で全体の寸法が比較的小さい前カバーシート、後ろカバーシート、小収容部、収納構造体の重量を支持することができる、閉じ合わせ式可撓性被覆体収納構造体を提供することにある。
【００１３】
本発明の第８の目的は、本発明の可撓性被覆体構造を衣類本体とし、背負ったり、肩掛けにしたり、横方向に使用者の腰部に係合させたりするバッグの構造を組み合わせ、前カバーシートの外側、後ろカバーシートの内側または外側のいずれかにさらに小収容部を設け、これにより衣類本体を収納する以外の付加的な物品収容機能を提供すると共に、前記小収容部を設けた収納構造体の側辺または後辺に外ストラップを設けて使用者が便利に肩掛け式ショルダーバッグやリュックサックまたはウエストバッグとして使用することができ、衣類本体を収納した状態下で、後ろカバーシートに設けた外ストラップでバッグ本体と収納空間に収納した後の衣類本体を便利に携帯することができる、閉じ合わせ式可撓性被覆体収納構造体を提供することにある。
【００１４】
本発明の第９の目的は、可撓性被覆体構造を衣類とし、バッグの構造を組み合わせ、前記衣類本体にさらに複数の通孔を開設して内ストラップ（肩掛け式ショルダーストラップ１本または背負い式ショルダーストラップ２本のいずれか）の複数の端を衣類本体に設けた複数の通孔に穿通させてバッグと接合し、さらに前記第１接合辺と相対する第２接合辺を相互に接合して前カバーシートと衣類本体を固定し、そのうち、内ストラップ上端部及び下端部をそれぞれ衣類本体に設けた複数の通孔に穿通させた後、前カバーシートの上縁及び下縁と連接し、使用者が衣類本体を着用したときにバッグの重量を支持することができる、閉じ合わせ式可撓性被覆体収納構造体を提供することにある。
【００１５】
本発明の第１０の目的は、可撓性被覆体構造を衣類本体とし、バッグの構造を組み合わせ、前記前カバーシートと後ろカバーシートの間にカバー体を設け、前記カバー体の一側に連接側を設け、前記連接側によりバッグを連接することができ、前記連接側はカバー体の上縁に設けられ、前カバーシートの上縁、または第１接合辺と相互に連接され、且つ前記カバー体にはさらに被着部材が設置され、前記被着部材はカバー体を上から下にバッグの外囲に被せて固定し、バッグの雨避け機能を達することができる、閉じ合わせ式可撓性被覆体収納構造体を提供することにある。
【００１６】
本発明の第１１の目的は、可撓性被覆体構造を衣類本体とし、バッグの構造を組み合わせ、前記衣類本体とバッグを固定方式または着脱自在な方式で連接し、固定方式は第１接合辺と第２接合辺を接着、ホットプレス、縫着等の方式で連接し、着脱自在な方式は第１接合辺と第２接合辺に可動式の第１接合部材と第２接合部材（例えばファスナー、ボタン、面ファスナーなど）をそれぞれ設置して連接するものとし、これにより衣類本体とバッグの着脱機能を提供し、衣類本体とバッグのいずれかが破損したり、汚れたりしたときそれを取り外して交換した上で使用することができる、閉じ合わせ式可撓性被覆体収納構造体を提供することにある。
【００１７】
本発明の第１２の目的は、前カバーシートの外側及び可撓性被覆体の外側にさらに相互に対応する模様や図案のデザインを配し、その美観を高めたり、相互に対応させたりするなど異なる視覚的効果と変化を生み出すことができ、小収容部を単独使用するときは、前カバーシートと小収容部に局部的な図案または模様のデザインが現れるようにすることができ、可撓性被覆体を展開した状態下で、前カバーシートと小収容部に可撓性被覆体と相互に対応する図案または模様を配してその美観や面白みを高めたり、相互に対応させたりするなど異なる視覚的効果を形成することができる、閉じ合わせ式可撓性被覆体収納構造体を提供することにある。
【課題を解決するための手段】
【００１８】
本発明の閉じ合わせ式可撓性被覆体収納構造体は主に、前カバーシート、後ろカバーシート、連結部、可撓性被覆体を含み、そのうち前カバーシートに第１接合辺と閉じ合わせ部材が設けられ、後ろカバーシートに前記閉じ合わせ部材に相対する閉じ合わせ相対部材が設けられ、連結部は前記前カバーシート下方の後ろカバーシートと相対する位置に設置され、この連結部を介して前記前カバーシートと前記後ろカバーシートが連結される。可撓性被覆体は第２接合辺を備え、前カバーシートの前記第１接合辺に相対して相互に接合され、これにより前カバーシートと可撓性被覆体が固定される。
【図面の簡単な説明】
【００１９】
【図１】従来の買い物袋の展開状態の構造を示す外観図である。
【図２】従来の買い物袋的巻き取り状態の構造を示す外観図である。
【図３】本発明の実施例１の展開状態の構造を示す分解図である。
【図４】本発明の実施例１の収納状態の構造を示す外観図である。
【図５】本発明の実施例１の展開状態の構造を示す外観図である。
【図６】本発明の実施例１の収納及び展開状態の構造を示す断面図１である。
【図７】本発明の実施例１の収納及び展開状態の構造を示す断面図２である。
【図８】本発明の実施例１の収納及び展開状態の構造を示す断面図３である。
【図９】本発明の実施例１の収納及び展開状態の構造を示す断面図４である。
【図１０】本発明の実施例２の展開状態の構造を示す分解図である。
【図１１】本発明の実施例２の収納状態の構造を示す立体外観図である。
【図１２】本発明の実施例２の立体構造展放状態の構造を示す外観図である。
【図１３】本発明の実施例２の展開状態の局部構造を示す外観図１である。
【図１４】本発明の実施例２の展開状態の局部構造を示す外観図２である。
【図１５】本発明の実施例２の収納及び展開状態の構造を示す断面図１である。
【図１６】本発明の実施例２の収納及び展開状態の構造を示す断面図２である。
【図１７】本発明の実施例２の収納及び展開状態の構造を示す断面図３である。
【図１８】本発明の実施例２の収納及び展開状態の構造を示す断面図４である。
【図１９】本発明の実施例１と実施例２の収納手順を示す外観図１である。
【図２０】本発明の実施例１と実施例２の収納手順を示す外観図２である。
【図２１】本発明の実施例１と実施例２の収納手順を示す外観図３である。
【図２２】本発明の実施例１と実施例２の収納手順を示す外観図４である。
【図２３】本発明の実施例１と実施例２の収納手順を示す外観図５である。
【図２４】本発明を衣類に応用した実施例３の展開状態の構造を示す立体分解図である。
【図２５】本発明を衣類に応用した実施例３の収納完了状態を示す外観図である。
【図２６】本発明を衣類に応用した実施例３の一部を展開した状態の構造を示す外観図である。
【図２７】本発明を衣類に応用した実施例３の展開状態の構造を示す外観図である。
【図２８】本発明を衣類に応用した実施例３の展開状態の動作を示す外観図１である。
【図２９】本発明を衣類に応用した実施例３の展開状態の動作を示す外観図２である。
【図３０】本発明を衣類に応用した実施例３の展開状態の完成を示す外観図１である。
【図３１】本発明を衣類に応用した実施例３の展開状態の完成を示す外観図２である。
【図３２】本発明を衣類に応用した実施例４の展開状態を示す外観図１である。
【図３３】本発明を衣類に応用した実施例４の展開状態を示す外観図２である。
【図３４】本発明を衣類に応用した実施例５の一部を展開した状態を示す外観図である。
【図３５】本発明の参考例１の展開状態の構造を示す分解図１である。
【図３６】本発明の参考例１の展開状態の構造を示す外観図１である。
【図３７】本発明の参考例１の展開状態の構造を示す外観図２である。
【図３８】本発明の参考例１の収納手順を示す外観図１である。
【図３９】本発明の参考例１の収納手順を示す外観図２である。
【図４０】本発明の参考例１の収納手順を示す外観図３である。
【図４１】本発明の参考例１の収納手順を示す外観図４である。
【図４２】本発明の参考例１の収納手順を示す外観図５である。
【図４３】本発明の参考例１の展開状態の構造を示す外観図３である。
【図４４】本発明の参考例１の展開状態の構造を示す外観図４である。
【図４５】本発明の参考例１の展開状態の構造を示す外観図５である。
【図４６】本発明の参考例１の展開状態の構造を示す外観図６である。
【図４７】本発明の参考例２の収納状態の構造を示す外観図である。
【図４８】本発明の参考例２の展開状態の構造を示す外観図である。
【図４９】本発明の参考例２の展開状態の構造を示す分解図である。
【発明を実施するための形態】
【実施例１】
【００２０】
図３、図４、図５に示すように、本発明の実施例１は主に、前カバーシート１、後ろカバーシート２、連結部１２、可撓性被覆体３を含み、前カバーシート１と後ろカバーシート２の間に、折り畳んだ可撓性被覆体３を収納する収納空間が形成される。前カバーシート１の辺縁に第１接合辺１３１と閉じ合わせ部材１１が設けられ、第１接合辺１３１は前記後ろカバーシート２、前カバーシート１と後ろカバーシート２の間、前記連結部１２のいずれかに設けることもできる。後ろカバーシート２は辺縁に前記閉じ合わせ部材１１と相互に対応する閉じ合わせ相対部材２１が設けられ、且つ前記閉じ合わせ部材１１と閉じ合わせ相対部材２１はファスナーとし、且つ第１引手１１０を含む。連結部１２は前記前カバーシート１の下方と後ろカバーシート２の上方の相対する位置に設置され、両者が連結される。連結部１２は前記前カバーシート１の上方と後ろカバーシート２の上方の相対する位置に設けることもできる。可撓性被覆体３は第２接合辺３３１が設けられ、前カバーシート１に設けられた第１接合辺１３１と相互に接合され、前カバーシート１を可撓性被覆体３の中央付近の位置の表面に固定する。
【００２１】
本実施例の前カバーシート１の外側にさらに小収容部４を設けることができ、これにより可撓性被覆体３を収納する以外の別の付加的な物品収容機能を提供することができる。
前記小収容部４は開閉部材４１と開閉相対部材４２が設けられ、使用者が随時開閉して小収容部４内の物品を出し入れすることができる。そのうち、前記開閉部材４１と開閉相対部材４２の開閉方式はファスナー、面ファスナー、スナップボタン、マグネットボタンのいずれか含むことができる。小収容部４は前カバーシート１の外側に設けることができるだけでなく、後ろカバーシート２の内側（図２０〜図２３を参照）または外側（図示しない）にも小収容部４を設けることができ、その構造はほとんど同じであるため、ここでは説明を省略する。また、後ろカバーシート２と可撓性被覆体３の相対する一側にさらに固定部材２２と固定相対部材３２を設置することができ、これにより後ろカバーシート２を可撓性被覆体３の表面に固定し、後ろカバーシート２が可撓性被覆体３の表面で垂下して揺動することがないようにする。前記固定部材２２と固定相対部材３２はファスナー、面ファスナー、スナップボタン、マグネットボタンのいずれかを含むことができる。
【００２２】
図６から図９に示すように、前記第２接合辺３３１と前記第１接合辺１３１は局部接合方式を採用しており、且つ未接合箇所に収納口３０１を形成しているため、展開した可撓性被覆体３を取り出して使用するときは、前記収納口３０１から後ろカバーシート２を前カバーシート１と可撓性被覆体３の間の収納部３０内に配置することができる。反対に、折り畳んだ後の可撓性被覆体３を収納するときは、後ろカバーシート２を収納口３０１から取り出し、ファスナーと第１引手１１０で後ろカバーシート２と前カバーシート１を固定することができる。このほか、前カバーシート１と可撓性被覆体３をしっかりと接合し、且つ収納口３０１に収納した後ろカバーシート２が収納部３０内に収まって収納口３０１の外に出てくることがないようにするため、本実施例の最良の構造は第１接合辺１３１と前記第２接合辺３３１の局部の相互に接合される長さを少なくとも前カバーシート１の円全体の直径長さの２分の１以上とする。
【実施例２】
【００２３】
図１０、図１１、図１２に示すように、本発明の実施例２は実施例１に含まれる構成部材のほか、前カバーシート１と閉じ合わせ部材１１の間にさらに側面周壁部１３が設けられ、且つ前記可撓性被覆体３に前記側面周壁部１３に対応する接合部３３が設けられ、前記接合部３３は概ね環状体をなしており、その円の直径は側面周壁部１３の円の直径より若干小さく、且つその内部に第２収納部３５が形成される。前記第２接合辺３３１は第１接合辺１３１と突合せられて相互に連接され、これにより側面周壁部１３が前記接合部３３の外囲に重ね合わされ、それを包覆する。可撓性被覆体３を折り畳んで第２収納部３５内に収納し、閉じ合わせ部材１１と閉じ合わせ相対部材２１を閉じ合わせた後、前記小収容部４を設けた収納構造体の側面周壁部１３にさらにループ１５とショルダーストラップ１７を設置して使用者が物品を携帯するときに便利に肩掛け式ショルダーバッグとして使用することができる。前述のように、本実施例の小収容部４は実施例１と同様に開閉部材４１と開閉相対部材４２が設けられ、使用者が随時小収容部４を開閉して内部の物品を出し入れすることができ、且つその開閉方式はファスナー、面ファスナー、スナップボタン、マグネットボタンのいずれかを含むことができる。
【００２４】
図１３〜図１８に示すように、前記第２接合辺３３１が第１接合辺１３１の上縁に突合せられて相互に連接されるため、前記接合部３３の環状体を成した上部周壁が前記側面周壁部１３の上部周壁に当接され、前記接合部３３の下部周壁と側面周壁部１３の間の当接されていない空間に第１収納部１４が形成され、これにより折り畳んだ後の後ろカバーシート２を前カバーシート１と可撓性被覆体３の間の第１収納部１４内に収納することができる（接合部３３の環状体を成した周壁の任意の部分を前記側面周壁部１３の周壁の任意の部分に当接させ、当接されていない空間に第１収納部１４を形成することができる）。さらに、環状体を成した前記接合部３３と前カバーシート１を結合すると、第２収納部３５が形成され、且つ前記第２収納部３５はさらに可撓性被覆体３と相互に連通された連通口３４が設けられる。これにより、折り畳んだ後の可撓性被覆体３を前記連通口３４から第２収納部３５内に収納することができる。
このほか、前記後ろカバーシート２はさらに第１収納部１４下方の位置に固定部材２２が設けられ、接合部３３下方の相対する位置に固定相対部材３２が設けられ、固定部材２２と固定相対部材３２により折り畳んだ後の後ろカバーシート２を第１収納部１４に収納した後固定することができ、そのうち前記固定部材２２と固定相対部材３２は面ファスナーまたはスナップボタンのいずれかとすることができる。
【００２５】
図１９〜図２３に示すように、使用者が可撓性被覆体３を折り畳んで収納空間内に収納したいときは、まず小収容部４と前カバーシート１外側を下に向けて置く。このとき可撓性被覆体３と後ろカバーシート２が上になり、且つ後ろカバーシート２が開いた状態となり、収納時は可撓性被覆体３の大きさを前カバーシート１と後ろカバーシート２の間の収納空間の範囲内まで外側から内側に向かって折り畳み、可撓性被覆体３をその中に収納した後、後ろカバーシート２と前カバーシート１を相互に閉じ合わせ、閉じ合わせ部材１１と閉じ合わせ相対部材２１で両者を封鎖する。本実施例は前カバーシート１外側に小収容部４を設けることができるだけでなく、後ろカバーシート２の内側または外側（図示しない）にも小収容部４を設けることができ、且つ小収容部４には開閉部材４１と開閉相対部材４２を設け、使用者が随時開閉し、小収容部４内の物品を便利に出し入れすることができる。
【実施例３】
【００２６】
前述で開示した収納構造体はエコバッグやその他バッグ類の可撓性被覆体を含むだけでなく、各種衣類製品に応用した実施例も可能であり、例えばスポーツシャツや上着、衣類等に応用することもできる。図２４に本発明の可撓性被覆体３（衣類本体）にバッグ１０を組み合わせた実施例３を示す。このバッグ１０は背負い式のバッグ１０（通称リュックサック）であり、前カバーシート１と後ろカバーシート２、連結部１２、外ストラップ１６、可撓性被覆体３（衣類本体）を含む。そのうち、前カバーシート１の辺縁に第１接合辺１３１と閉じ合わせ部材１１が設けられ、前記第１接合辺１３１はバッグ１０と可撓性被覆体３（衣類本体）が相互に対応する面に設けられ、図に示すように前カバーシート１の辺縁に設置される。後ろカバーシート２の辺縁には前記閉じ合わせ部材１１に対応する閉じ合わせ相対部材２１が設けられ、且つ前記閉じ合わせ部材１１と閉じ合わせ相対部材２１はファスナーとすることができる。連結部１２は前記前カバーシート１と後ろカバーシート２の側辺の間の相対する位置に設けられ、両者を連結する。前記衣類本体３は第２接合辺３３１、内ストラップ６を含み、そのうち前記第２接合辺３３１は前カバーシート１的の第１接合辺１３１に相対して設けられ、前記第１接合辺１３１と第２接合辺３３１を相互に接合して、前カバーシート１が可撓性被覆体３（衣類本体）背面の位置に固定される。可撓性被覆体３（衣類本体）とバッグ１０は第１接合辺１３１と第２接合辺３３１の固定接合方式（例えば接着、ホットプレス、縫着等）を採用できるほか、第１接合辺１３１と第２接合辺３３１にそれぞれ可動式の第１接合部材１３０と第２接合部材３３０（例えばファスナー、スナップボタン、マグネットボタン、面ファスナー等）を設け、これにより可撓性被覆体３（衣類本体）とバッグ１０に着脱自在な機能を提供し、可撓性被覆体３（衣類本体）とバッグ１０のいずれか一方が破損したり汚れたりしたとき取り外して交換した上で使用することができる。
【００２７】
前記可撓性被覆体３（衣類本体）にはさらに複数の通孔３３２を開設して内ストラップ６（肩掛け式のショルダーストラップ１本または背負い式のショルダーストラップ２本）の複数の端部を可撓性被覆体３（衣類本体）内から前記複数の通孔３３２に穿通して外部のバッグ１０と接合し、さらに前記第１接合辺１３１と対応する第２接合辺３３１を相互に接合して前カバーシート１と可撓性被覆体３（衣類本体）を固定する。内ストラップ６上端部と下端部は可撓性被覆体３（衣類本体）に設けられた複数の通孔３３２にそれぞれ穿通された後、前カバーシート１上縁及び下縁と連接され、使用者が可撓性被覆体３（衣類本体）を着用したときバッグ１０の重量を支持することができる。
【００２８】
このほか、前記前カバーシート１と後ろカバーシート２の間にカバー体７が設けられ、前記カバー体７の一側にバッグ１０と連接される連接側７１が設けられる。前記連接側７１はカバー体７上縁に設けられ、且つ前カバーシート１の上縁または第１接合辺１３１と相互に連接される。前記カバー体７にはさらに被着部材７２が設置され、前記被着部材７２によりカバー体７を上から下に被せてバッグ１０の外囲に固定し、バッグ１０を雨から保護することができる。
【００２９】
前記後ろカバーシート２には外ストラップ１６が設けられる。外ストラップ１６は背負うために用いる２本のストラップまたは１本ストラップ（図示しない）とすることができ、その上下両端が後ろカバーシート２の外側上方と下方にそれぞれ設けられ、使用者が可撓性被覆体３（衣類本体）を収納した状態下で、後ろカバーシート２に設けた外ストラップ１６を使用してバッグ１０の収納空間に収納された後の可撓性被覆体３（衣類本体）を携帯することができる。前記外ストラップ１６は着脱式または固定式または固定結合式でバッグ１０と連接される（常用技術であるためここでは説明を省略する）。本実施例の前カバーシート１の外側には小収容部４が設けられ、これにより衣類本体３を収納する以外の付加的な物品の収容機能を提供する。前記小収容部４は開閉部材４１と開閉相対部材４２が設けられ、使用者が随時開閉して小収容部４内の物品を便利に出し入れすることができる。そのうち、前記開閉部材４１と開閉相対部材４２の開閉方式はファスナー、面ファスナー、スナップボタン、マグネットボタンのいずれかを含むことができる。本実施例は前カバーシート１の外側に小収容部４を設けることができるだけでなく、後ろカバーシート２の内側または外側（図示しない）にも小収容部４を設けることができ、その構造変化はほぼ同じであるため、ここでは説明を省略する。
【００３０】
図２５〜図３１に示すように、前記可撓性被覆体３（衣類本体）はバッグ１０の収納空間から取り出した後、使用者が着用することができ、そのうち前記前カバーシート１は可撓性被覆体３（衣類本体）の背面中央付近の位置に固定され、且つ前記小収容部４は前カバーシート１の外側に設置され、使用者が物品を入れるために使用することができる。前記可撓性被覆体３（衣類本体）の前面に左右両側の前身頃３３４が設けられ、前記前身頃３３４にさらに閉鎖部材３３３が設けられ、使用者は可撓性被覆体３（衣類本体）を身に着けた後、閉鎖部材３３３で左右両側の前身頃３３４を閉じ合わせることができる。
【００３１】
図２９と図３０に示すように、前記後ろカバーシート２は連結部１２を介して前カバーシート１と連接され、後ろカバーシート２を収納部３０に収納する前は小収容部４の下方に位置し、後ろカバーシート２を収納部３０に収納した後、小収容部４の後方に隠れ、小収容部４と可撓性被覆体３（衣類本体）の間に介在される。図２６に示すように、可撓性被覆体３（衣類本体）とカバー体７を使用しないときは、小収容部４を下に向け、後ろカバーシート２を開けて、前カバーシート１と後ろカバーシート２の間に形成された収納空間を露出させると、可撓性被覆体３（衣類本体）とカバー体７を折り畳んだ後収納空間に便利に収納することができる。折り畳むときは、カバー体７を下に向かって折り畳み、可撓性被覆体３（衣類本体）を上から下に及び左右側辺を中央に向けて折り畳む。このときカバー体７と可撓性被覆体３（衣類本体）を矩形に、且つ前カバーシート１の大きさよりやや小さく折り畳んだ後、前カバーシート１の上部に位置させ、収納空間内に収納して閉じ合わせ部材１１と閉じ合わせ相対部材２１を閉じ合わせることができる（図２５参照）。収納空間を閉じ合わせた後、可撓性被覆体３（衣類本体）が収納空間内に収納され、使用者は小収容部４上方の開閉部材４１と開閉相対部材４２を使用して小収容部４を開き、物品を出し入れすることができる。可撓性被覆体３（衣類本体）が収納された状態下で、閉じ合わせ部材１１と閉じ合わせ相対部材２１によって可撓性被覆体３（衣類本体）と内ストラップ６が後ろカバーシート２と前カバーシート１の間の収納空間内に封鎖され、使用者は後ろカバーシート２上方に設置された外ストラップ１６（図２９〜図３１参照）を利用でき、且つ小収容部４の機能を後方のバッグ１０として使用することができる。
【実施例４】
【００３２】
図３２と図３３に、本発明の可撓性被覆体３（衣類本体）とバッグ１０を組み合わせた実施例４を示す。肩掛け式のバッグ１０（通称ショルダーバッグ）であり、その構造及び含まれる部材は前述の背負い式のバッグ１０の実施例３と同じであるが、主な違いは前記バッグ１０が１本のストラップを配した構造であり、バッグ１０が身体の横または前に配置されるため、その外ストラップ１６（図示しない）と内ストラップ６はいずれも１本のストラップがバッグ１０の左右両端に連接されている構造となっている点である。可撓性被覆体３（衣類本体）を使用しないとき、収納方式は実施例３と同じであり、可撓性被覆体３（衣類本体）と内ストラップ６を折り畳んだ後収納空間（図示しない）内に収納して閉じ合わせ部材１１と閉じ合わせ相対部材２１により閉じ合わせられる。可撓性被覆体３（衣類本体）が収納された状態下で、前記バッグ１０の物品収容機能を利用することができ、且つ前記バッグ１０両側にそれぞれループ１５とループ１５に着脱自在に掛止された外ストラップ１６（図示しない）が設置され、使用者が肩に掛けることができる。
【実施例５】
【００３３】
図３４に、本発明の可撓性被覆体３（衣類本体）とバッグ１０を組み合わせた実施例５を示す。これは横方向に使用者の腰部に固定されるバッグ１０の構造（通称ウエストバッグ）であり、その構造及び含まれる部材は前述の肩掛け式のバッグ１０の実施例４と同じであるが、主な違いは前記バッグ１０の左右両側に外ストラップ１６が連接され、外ストラップ１６の開放端に設けられたオスバックル１６１とメスバックル１６２を相互に嵌合させて横方向に使用者の腰部に固定する点である。本実施例のバッグ１０の小収容部４の内部容積は前述の２種類の実施例のバッグ１０より小さいため、荷重が大きくならない構造下で内ストラップ６を追加設置して使用者が可撓性被覆体３（衣類本体）を着用したときにバッグ本体１０の重量を支持する必要がない。可撓性被覆体３（衣類本体）を使用しないときの収納方式は前述の２種類の実施例と同じであり、可撓性被覆体３（衣類本体）を折り畳んだ後収納空間（図示しない）内に収納し、閉じ合わせ部材１１と閉じ合わせ相対部材２１で閉じ合わせることができる。可撓性被覆体３（衣類本体）を収納した状態下で、前記バッグ１０の物品収容機能を使用することができる。前記衣類本体３が収納された状態下で、バッグ１０両側の横方向に連結された外ストラップ１６を使用者の腰部上に固定することができる。このほか、前記外ストラップ１６は着脱式または固定結合式でバッグ１０と連接される（常用技術であるためここでは説明を省略する）。
【参考例１】
【００３４】
図３５、図３６、図３７は参考例１を示す。参考例１は主にハンドル３１を備えたバッグに可撓性被覆体３を応用したものであり、前記ハンドル３１の両端部の間に中空を形成して使用者が可撓性被覆体３（バッグ）を収納空間から展開した後、ハンドルを用いて肩掛けまたは手提げとして使用することができる。そのうち、可撓性被覆体３（バッグ）は表シート３８、裏シート３９、開口部４０を含む。本参考例と前述の各実施例の違いは、主に前記前カバーシート１と後ろカバーシート２を連接する連結部１２に折り返しを形成し、上から下に向かって可撓性被覆体３（バッグ）の表シート３８上縁に掛止している点であり、前記可撓性被覆体３（バッグ）を折り畳んだ後、前カバーシート１と後ろカバーシート２の間に形成された収納空間内に収納することができる。前記連結部１２が可撓性被覆体３（バッグ）上縁のハンドル３１両端部の間に掛止されるため、使用者がハンドル３１両端部を上に持ち上げる力で前記収納構造体と小収容部４の重量を支持し、可撓性被覆体３（バッグ）開口部４０上縁が小収容部４の重量で垂下して変形を生じないように防ぐことができる。そのうち、前記前カバーシート１に設けた第１接合辺１３１は対応する後ろカバーシート２に設けた第２接合辺３３１が図に示すように縫着で連接されるが、接着や高周波ホットプレス等その他方式を採用することもできる（図示しない）。このほか、本参考例の第１接合辺１３１は前記前カバーシート１に設置できるほか、前カバーシート１と後ろカバーシート２の間または連結部１２に設置して、第２接合辺３３１と連接させることもできる（図示しない）。このほか、前記可撓性被覆体３（バッグ）の表シート３８上縁にさらに下凹陥部３７を設け、その下に凹陥される寸法は連結部１２の幅に合わせ、これにより両者を接合した後より平坦で美しく、安定した状態で固定することができる。且つ前記後ろカバーシート２の外側に小収容部４が設けられ、且つ前記小収容部４に開閉部材４１と開閉相対部材４２が設けられ、その実施方式は図に示すファスナーのほか、例えば面ファスナー、スナップボタン、マグネットボタン等（図示しない）その他閉じ合わせるための部材とすることができる。さらに、前記小収容部４は下に向かって折り返された連結部１２と連接されて可撓性被覆体３（バッグ）表シート３８のハンドル３１の両端部の間に掛止され、使用者がハンドルの両端部を上に持ち上げる力で前記小収容部４と収納構造体の重量を支持することができる。前述の下凹陥部３７は表シート３８に設けるほか裏シート３９に設けることもできる（図示しない）。小収容部４は後ろカバーシート２の外側に設けるほか、前カバーシート１の外側に設けることもできる（図示しない）。
【００３５】
図３５と図３６に示すように、前カバーシート１に設けた第１連接辺１３１と可撓性被覆体３（バッグ）の表シート３８に設けた第２連接辺３３１は、連結部１２を表シート３８の上縁に設けた下凹陥部３７に掛止して固定することができ、これにより小収容部４を可撓性被覆体３（バッグ）の開口部４０内に位置させることができる（図３７）。このほか、可撓性被覆体３（バッグ）の表シート３８の内側と裏シート３９の内側にそれぞれさらに第１位置決め部材３２１と第２位置決め部材３２２を設け、開口部４０内に設置された後ろカバーシート２に設けた固定部材２２に対応させる。前述のように、後ろカバーシート２と小収容部４が可撓性被覆体３（バッグ）の開口部４０内に位置するとき、固定部材２２が第１位置決め部材３２１と共に小収容部４を可撓性被覆体３（バッグ）の表シート３８内側に付着させ、安定した状態で固定することができる。
【００３６】
この独特の設計の利点は、可撓性被覆体３（バッグ）を収納空間から取り出した後、可撓性被覆体３（バッグ）を展開して使用する状態下で、前カバーシート１が可撓性被覆体３（バッグ）の表シート３８外側に位置し、お金や身分証明書、その他物品を入れるための小収容部４を開閉部材４１と開閉相対部材４２で閉じ合わせることができ、且つ前記小収容部４が可撓性被覆体３（バッグ）の開口部４０内に位置するため、小収容部４内のお金や物品の遺失を防止することができる。さらに図３５と図３７に示すように、使用者は固定部材２２を可撓性被覆体３（バッグ）の裏シート３９外側に設けた第２位置決め部材３２２に位置決めするように選択することもでき、これにより可撓性被覆体３（バッグ）の開口部４０を閉じると、小収容部４が可撓性被覆体３（バッグ）裏シート３９の外側に位置し（図３７）、使用者が可撓性被覆体３（バッグ）のハンドル３１を肩に掛けたり手に提げたりするとき、可撓性被覆体３（バッグ）の裏シート３９外側を自分の体の側に寄せ、小収容部４内の物品の出し入れを便利に行うことができるほか、小収容部４内のお金や物品の遺失を防止することができる。前述の固定部材２２と対応する第１位置決め部材３２１及び第２位置決め部材３２２は図に示すファスナーのほか、面ファスナー、スナップボタン、マグネットボタンのいずれかを含むことができる。
【００３７】
図３８〜図４２に示すように、可撓性被覆体３（バッグ）を使用しないときは、まず小収容部４を下に向け、前カバーシート１を上に開き、収納空間を露出させ、可撓性被覆体３（バッグ）を折り畳んだ後収納空間に収納する。折り畳むときは、可撓性被覆体３（バッグ）を左右両側から中央に向かって折り畳み、裏シート３９を後ろから前に折って表シート３８の上に畳み、且つハンドル３１を下に向かって折り畳む。このとき可撓性被覆体３（バッグ）は折り畳んだ後細長い形状を呈し、その幅は前カバーシート１の幅より若干小さい（図４０）。さらにこの細長い形状の可撓性被覆体３（バッグ）を上に向かって折り畳むか巻き取って収納空間３０内に収納し、閉じ合わせ部材１１と閉じ合わせ相対部材２１で閉じ合わせる（図４１及び図４２）。収納空間を閉じ合わせた後、可撓性被覆体３（バッグ）は収納空間内に収納され、使用者は小収容部４上方の開閉部材４１と開閉相対部材４２を開いて小収容部４の物品を出し入れすることができる（図４２）。
【００３８】
図４３と図４４に示す参考例は小収容部４をバッグに応用した構造であり、そのうち前記小収容部４の両側にループ１５とそれに連結されるショルダーストラップ１７が設けられ、使用者が肩に掛けて使用できるようになっている。且つ、前カバーシート１にはさらに延伸部１３２が設けられ、前記延伸部１３２の一端が可撓性被覆体３（バッグ）の第２接合辺３３１に連接され、他端が前カバーシート１内側に設けた第１接合辺１３１に連接され、これにより、小収容部４の内部に物品を入れたことで重さが重くなりすぎたとき、前記延伸部１３２で小収容部４を可撓性被覆体３（バッグ）内の底部まで延伸して配置することができ、開口部４０に連接された小収容部４が重すぎて開口部４０が垂下し、変形してしまうことがないようにする。この構造は延伸部１３２の延伸機能で小収容部４を可撓性被覆体３（バッグ）内の底部まで延伸して配置するため、小収容部４及び可撓性被覆体３（バッグ）の相互の大きさ及び荷重を合わせる必要があるという制限がなく、このため可撓性被覆体３（バッグ）の表シート３８上縁に下凹陥部３７（図３５）を設け、前カバーシート１に設けた連結部１２の寸法に合わせたり、延伸部１３２を小収容部４のその他層を隔てた位置に設けたり（図示しない）する必要がない。
【００３９】
図４５に示す参考例のように、小収容部４をリュックサックの構造に運用し、可撓性被覆体３（バッグ）を大型の買い物袋やかばんの構造に運用することもできる。そのうち、前記リュックサックの後方には背負い式ショルダーストラップ１７が設けられ、使用者がリュックサックを背負って使用することができ、前記前カバーシート１と閉じ合わせ部材１１及び閉じ合わせ相対部材２１の構造は前述の参考例と同じである。前カバーシート１は第１接合辺１３１で可撓性被覆体３（バッグ）に設けた第２接合辺３３１と相互に連接されているため、使用者が閉じ合わせ部材１１と閉じ合わせ相対部材２１を開き、可撓性被覆体３（バッグ）を収納空間から取り出した後、前カバーシート１と小収容部４及び背負い式ショルダーストラップ１７を開口部４０から可撓性被覆体３（バッグ）内に入れることができる。さらに、一般のリュックサックは全体の長さが比較的長いため、制作時は可撓性被覆体３（バッグ）の高さに合わせ、可撓性被覆体３（バッグ）の底部に配置されるようにし、リュックサックが重すぎて可撓性被覆体３（バッグ）の開口部４０が垂下し、変形してしまうことがないようにする。しかし、もし両者の長さを合わせることができない場合、本参考例は前述の延伸部１３２を運用してリュックサックを可撓性被覆体３（バッグ）内の底部に適切に延伸し（図示しない）、配置することができる。
【００４０】
図４６に示すように、本参考例は可撓性被覆体３を衣類袋に運用した構造であり、そのうち、前記衣類袋にはハンドル３１が設けられ、使用者が手に提げたり、肩に掛けたりして使用することができる。前記前カバーシート１と閉じ合わせ部材１１及び閉じ合わせ相対部材２１の構造は前述の実施例と同じである。使用者は衣服を可撓性被覆体３（バッグ）の開口部４０から内部に入れ、ハンガー１８で衣服を衣類袋内に掛けることができる。衣服をどのように開口部４０からハンガー１８上に掛けるか、及びハンガー１８と衣類袋の構造は常用技術の範囲に属するため、ここでは説明を省略する。
【参考例２】
【００４１】
図４７、図４８、図４９は参考例２を示す。参考例２の構造は前述の参考例１の構造とほぼ同じであり、前記前カバーシート１と後ろカバーシート２を連結する連結部１２を上から下に向かって可撓性被覆体３（バッグ）の表シート３８上縁に掛止し、前記可撓性被覆体３（バッグ）を折り畳んだ後は前カバーシート１と後ろカバーシート２の間に形成される収納空間３０に収納でき、且つ小収容部４は使用者が開閉部材４１と開閉相対部材４２を用いて小収容部４内の物品を出し入れすることができる。
【００４２】
本参考例と参考例１の構造の違いは、前記可撓性被覆体３（バッグ）とそのうちの１つのハンドル３１の間にさらに二股部３１０が設けられている点であり、全体の寸法が比較的小さい前カバーシート１、後ろカバーシート２を小収容部４と共に連結部１２、第１接合辺１３１、第２接合辺３３１、延伸部１３２により可撓性被覆体３（バッグ）の表シート３８上縁に連接させるために用いられる。小収容部４は使用者がハンドル３１の両端部を上に持ち上げる力で前記小収容部４と収納構造体の重量を支持する必要があるため、二股部３１０両端を連結したハンドル３１を上に持ち上げる力で全体の寸法が比較的小さい前カバーシート１、後ろカバーシート２、小収容部４、収納構造体の重量を支持する。使用者が可撓性被覆体３（バッグ）を収納空間内から取り出して展開した後、前カバーシート１と小収容部４を二股部３１０中央に形成された空隙３１１に穿通させ、さらに前カバーシート１と後ろカバーシート２を可撓性被覆体３（バッグ）表シート３８の開口部４０上縁に掛止し、さらに前カバーシート１内側に設けられた固定部材２２と可撓性被覆体３（バッグ）外側に設けられた第１位置決め部材３２１を相互に位置決めする。
【００４３】
前述の各実施例で述べた前カバーシート１の外側及び可撓性被覆体３（バッグ）の外側には相互に対応する模様や図案を配したデザインとして、その美観を向上したり、相互に対応させて異なる視覚的効果を形成したりすることができる。小収容部４を単独で使用するときは、前カバーシート１と小収容部４に局部的な図案または模様のデザインが表現される。可撓性被覆体３（バッグ）を展開した状態下では、前カバーシート１と小収容部４は可撓性被覆体３（バッグ）と相互に対応した図案または模様のデザインを表現し、その美観を向上したり、相互に対応させて異なる視覚的効果を形成したりすることができる（図示しない）。
【００４４】
上述をまとめると、本発明は前述の各種実施例のほか、その他各種異なる機能のバッグ構造に運用することも可能である。
【００４５】
以上の描写は本発明を説明するためのもので、本発明を限定するものではなく、当業者であれば特許請求の範囲で限定される要旨と範囲内で同等の効果を持つ多くの修正や変更が可能であることが理解されるが、それらはすべて本発明の保護範囲内に含まれる。
【符号の説明】
【００４６】
１        前カバーシート
１１      閉じ合わせ部材
１１０    第１引手
１２      連結部
１３      側面周壁部
１３１    第１接合辺
１３２    延伸部
１４      第１収納部
１５      ループ
１６      外ストラップ
１６１    オスバックル
１６２    メスバックル
１７      ショルダーストラップ
１８      ハンガー
２        後ろカバーシート
２１      閉じ合わせ相対部材
２２      固定部材
３        可撓性被覆体
３０      収納部
３００    フラップ
３０１    収納口
３０２    固定端
３０３    開放端
３０４    オス留め具
３０５    メス留め具
３１      ハンドル
３１０    二股部
３１１    空隙
３２      固定相対部材
３２１    第１位置決め部材
３２２    第２位置決め部材
３３      接合部
３３１    第２接合辺
３３２    通孔
３３３    閉鎖部材
３３４    前身頃
３４      連通口
３５      第２収納部
３７      下凹陥部
３８      表シート
３９      裏シート
４        小収容部
４０      開口部
４１      開閉部材
４２      開閉相対部材
６        内ストラップ
７        カバー体
７１      接合側
７２      被着部材
【図１】
0005433685.tif 000002
【図２】
0005433685.tif 000003
【図３】
0005433685.tif 000004
【図４】
0005433685.tif 000005
【図５】
0005433685.tif 000006
【図６】
0005433685.tif 000007
【図７】
0005433685.tif 000008
【図８】
0005433685.tif 000009
【図９】
0005433685.tif 000010
【図１０】
0005433685.tif 000011
【図１１】
0005433685.tif 000012
【図１２】
0005433685.tif 000013
【図１３】
0005433685.tif 000014
【図１４】
0005433685.tif 000015
【図１５】
0005433685.tif 000016
【図１６】
0005433685.tif 000017
【図１７】
0005433685.tif 000018
【図１８】
0005433685.tif 000019
【図１９】
0005433685.tif 000020
【図２０】
0005433685.tif 000021
【図２１】
0005433685.tif 000022
【図２２】
0005433685.tif 000023
【図２３】
0005433685.tif 000024
【図２４】
0005433685.tif 000025
【図２５】
0005433685.tif 000026
【図２６】
0005433685.tif 000027
【図２７】
0005433685.tif 000028
【図２８】
0005433685.tif 000029
【図２９】
0005433685.tif 000030
【図３０】
0005433685.tif 000031
【図３１】
0005433685.tif 000032
【図３２】
0005433685.tif 000033
【図３３】
0005433685.tif 000034
【図３４】
0005433685.tif 000035
【図３５】
0005433685.tif 000036
【図３６】
0005433685.tif 000037
【図３７】
0005433685.tif 000038
【図３８】
0005433685.tif 000039
【図３９】
0005433685.tif 000040
【図４０】
0005433685.tif 000041
【図４１】
0005433685.tif 000042
【図４２】
0005433685.tif 000043
【図４３】
0005433685.tif 000044
【図４４】
0005433685.tif 000045
【図４５】
0005433685.tif 000046
【図４６】
0005433685.tif 000047
【図４７】
0005433685.tif 000048
【図４８】
0005433685.tif 000049
【図４９】
0005433685.tif 000050